(57)【要約】【課題】  自転車ラックをスムーズに昇降できるとともに、自転車をどの位置で下ろしても自転車ラックが上方へ勢いよく引き上げらてしまうのを防止する。【解決手段】  自転車ラック重量とバランスする牽引力を自転車ラックに対して付与する第１の定荷重手段と、自転車重量とバランスする牽引力を可動ボックスを介して自転車ラックに対して付与する第２の定荷重手段とを備え、自転車を載せない時には第１の定荷重手段の牽引力を付与して柱に沿って自転車ラックを昇降させ、自転車を載せた時には第１の定荷重手段による牽引力と第２の定荷重手段の牽引力とを付与して柱に沿って自転車ラックを昇降させる駐輪施設であって、可動ボックス（４０）は柱（２）と離当接するブレーキ手段（４１ａ，４１ｂ，４２ａ，４２ｂ，４３ａ，４３ｂ，４４）を備え、前記ブレーキ手段は自転車を下ろした時、柱に当接してブレーキ力を発生するものである。【選択図】        図４
2008002177.tif 000002
【特許請求の範囲】
【請求項１】
自転車ラック重量とバランスする牽引力を自転車ラックに対して付与する第１の定荷重手段と、自転車重量とバランスする牽引力を可動ボックスを介して自転車ラックに対して付与する第２の定荷重手段とを備え、自転車を載せない時には第１の定荷重手段の牽引力を付与して柱に沿って自転車ラックを昇降させ、自転車を載せた時には第１の定荷重手段による牽引力と第２の定荷重手段の牽引力とを付与して柱に沿って自転車ラックを昇降させる駐輪施設であって、
前記可動ボックスは柱と離当接するブレーキ手段を備え、前記ブレーキ手段は自転車を下ろした時、柱に当接してブレーキ力を発生することを特徴とする駐輪施設。
【請求項２】
前記ブレーキ手段は、自転車ラックの踏み板と係合して回動するアームに連動して柱と離当接することを特徴とする請求項１記載の駐輪施設。
【請求項３】
前記可動ボックスに前記アームの下方への回動を阻止する阻止部材を配置し、前記阻止部材は自転車ラックの上方からの当接により回動してアームの下方への回動阻止を解除することを特徴とする請求項２記載の駐輪施設。
【請求項４】
前記阻止部材は、一対の回動片からなり、自重またはばね作用により回動してアーム下面を支持し、アームの下方への回動を阻止することを特徴とする請求項３記載の駐輪施設。
【発明の詳細な説明】
【技術分野】
【０００１】
本発明は駐輪施設に関するものである。
【背景技術】
【０００２】
従来、上下２段に自転車を収納する構造の施設として、上段側は自転車を固定するためのフレームを後方へ引き下ろし、自転車を持ち上げてこのフレームに収納し、フレームを元の位置に押し戻して固定する構造のものが各所に設置されている。この構造の駐輪施設は、設置スペースを必要とすると共に、利用者が自転車を持ち上げる必要があるなどの問題があった。
【０００３】
そこで、本出願人は自転車を載せない自転車ラックのみの場合、自転車を載せた場合のいずれでもこれとバランスする定荷重を付与して、利用者が軽く力を加えるだけでスムーズに昇降させることを可能にした駐輪施設を既に提案している（特許文献１）。
【０００４】
この提案の内容を図６により概略説明する。
図６は２段式駐輪施設の昇降機構を説明する図で、図６（ａ）は側面図、図６（ｂ）は要部平面図である。図６（ａ）において、１は自転車ラックであり、ラック取付け部１４で柱２に昇降可能に取付けられる。柱２の上端には定荷重装置３が設置されている。定荷重装置３は自転車ラックの重量とバランスするバネ力を有する第１の定荷重装置３１と、自転車重量とバランスするバネ力を有する第２の定荷重装置３２からなっており、定荷重装置３１から延びる部材がラック取付け部１４に接続されている。定荷重装置３２から延びる部材はラック取付け部１４の下側に位置する可動ボックス４に接続されている。可動ボックス４は鍵装置５により、自転車ラックに自転車が載せられていない状態では固定され、自転車ラックに自転車が載せられたとき鍵装置が開錠して可動状態となり、定荷重装置３２からの牽引力も加わって上方へ引っ張られてラック取付け部１４を介して自転車ラックを上方へ押し上げるように構成されている。
【０００５】
自転車ラック１は、自転車を載せるボード６、自転車の転倒防止用フレーム７を有している。また、自転車ラック１には、ハンドル９から延びるロッド１０がラック先端まで延び、柱に設けた係止部材または穴と係合し、ハンドル操作でロッドと係止部材または穴と係合させてバネ付勢することにより自転車ラックを停止位置に固定する。この係止部材または穴は上端位置と下端位置に設けられて上段、下段のそれぞれの停止位置で固定できる。そして、ハンドル操作でバネ力に抗してロッドと係止部材との係合を外すと自転車ラック重量とバランスする牽引力が定荷重装置３１から自転車ラック１に付与されるので、自転車を載せ状態で僅かな力を加えるだけで自転車ラックを昇降させることができる。
【０００６】
また、自転車ラック１には、踏み板１１とこれに一端が係合するカム１２、カム１２の回転により水平方向に変位して鍵装置５の施錠／開錠を行う押し棒１３が設けられている。ラックに自転車を載せると踏み板１１が下方に押されてカム１２が回転し、押し棒１３が水平方向に前進して鍵装置５を開錠し、定荷重装置３２で可動ボックス４を上方へ牽引し、定荷重装置３１、３２の牽引力でラック取付け部１３を介して自転車ラック１を上方へ押し上げる。
【０００７】
図６（ｂ）において、柱２の対向する両面に沿って、コの字型のレール２１が設けられ、これに柱２を包囲する可動ボックスのローラ２２が係合し、また、ラック取付け部１３も同様な構造で柱２に昇降可能に取付けられている。こうして、自転車ラック、可動ボックスともレールに沿ってローラ回転により昇降する。
【特許文献１】特開２００５−１０５５５０号公報
【発明の開示】
【発明が解決しようとする課題】
【０００８】
上記提案のものでは、鍵装置５が柱の下端に設置されているため、自転車ラック１を下端まで下ろしてから、自転車を下ろせば鍵装置５が施錠して可動ボックス４が固定されるが、下端まで降りきらないうちに自転車を下ろしてしまうと、鍵装置５が施錠しないため可動ボックス４は定荷重装置３２からの牽引力で可動であり、定荷重装置３１と３２の力で自転車ラックが上方へ勢いよく引き上げらてしまう可能性があった。
【課題を解決するための手段】
【０００９】
本発明は上記課題を解決しようとするもので、自転車を載せたときと載せないときのいずれでも自転車ラックをスムーズに昇降できるとともに、自転車をどの位置で下ろしても自転車ラックが上方へ勢いよく引き上げらてしまうのを防止することを目的とする。
【００１０】
そのために本発明は、自転車ラック重量とバランスする牽引力を自転車ラックに対して付与する第１の定荷重手段と、自転車重量とバランスする牽引力を可動ボックスを介して自転車ラックに対して付与する第２の定荷重手段とを備え、自転車を載せない時には第１の定荷重手段の牽引力を付与して柱に沿って自転車ラックを昇降させ、自転車を載せた時には第１の定荷重手段による牽引力と第２の定荷重手段の牽引力とを付与して柱に沿って自転車ラックを昇降させる駐輪施設であって、
前記可動ボックスは柱と離当接するブレーキ手段を備え、前記ブレーキ手段は自転車を下ろした時、柱に当接してブレーキ力を発生することを特徴とする。
【発明の効果】
【００１１】
本発明は、自転車を載せないときと、自転車を載せたときのいずれでもこれとバランスする定荷重が付与されるので、利用者が軽く力を加えるだけでスムーズに昇降させることが可能であり、自転車をどの位置で下ろしても自転車ラックが上方へ勢いよく引き上げらてしまうのを防止することができ、駐輪施設の安全性を一層高めることができる。
【発明を実施するための最良の形態】
【００１２】
以下、本発明の実施の形態について図面を参照して説明する。なお、本発明の駐輪施設は、図６の施錠機構を採用していない点以外、他の構成は同じであり、同一参照数字は同一内容を示している。また、本駐輪施設の下段側は複数の自転車受台が、その前部においてレール上を移動できる所定幅の走行台にそれぞれ取り付けられ、後部の底にキャスタが取り付けられて横方向に移動可能であり、自転車受台は、レールに直交する線に対して傾け、隣り合う自転車のハンドルが干渉しないようにし、また、隣り合う自転車受台を収納する自転車の向きを交互に向きを反対にしてより多くの自転車の駐輪を可能にしてもよく、その詳細な説明は省略する。
【００１３】
図１は本発明の駐輪施設の全体構成を説明する図である。
柱２上端の定荷重装置３は自転車ラック１の重量とバランスするバネ力を有する第１の定荷重装置３１と、自転車重量とバランスするバネ力を有する第２の定荷重装置３２からなり、定荷重装置３１から延びる部材がラック取付け部１４に接続され、定荷重装置３２から延びる部材がラック取付け部１４の下側に位置し、柱２を包囲して設けられる可動ボックス４０に接続されている。可動ボックス４０は図６の可動ボックス４と同様にレールとローラとの係合で柱に対して昇降可能であるが、その詳細な説明は省略する。可動ボックス４０は内部にブレーキ手段を有し（詳細は後述する）、アーム５０の回動によりブレーキが作動、非作動するようになっている。
【００１４】
自転車ラックの踏み板１１がバネ１６に押されて上方位置にあるとき、自転車ラック１の踏み板１１の先端部から延びる係合棒１８の先端がアーム５０の端部に係合している。この踏み板１１が上った状態（自転車を載せてない状態）ではブレーキが作動し、可動ボックス４０は動かないため、自転車ラック１に対しては第１の定荷重装置３１からの牽引力のみ作用している。
【００１５】
一方、自転車ラック１に自転車を載せてバネ１６を圧縮し、踏み板１１を下方へ押すと、係合棒１８に押されてアーム５０が下方へ回動し、可動ボックス４０のブレーキが非作動となり可動ボックスが柱に対して昇降可能な状態となり、第２の定荷重装置３２の牽引力が可動ボックス４０を介してラック取付け部１４に伝達され、自転車ラック１は第１の定荷重装置３１と第２の定荷重装置３２の牽引力で昇降可能となる。
【００１６】
図２は自転車ラックが上段位置に固定された状態を示している。
上記したように、自転車を下ろすと、ブレーキ手段のバネ力（詳細は後述）によりアーム５０が上方へ回動復帰し、ブレーキが作動して可動ボックス４０は柱に固定され、この例では下端位置にある。このとき自転車ラック１にはその重量とバランスする牽引力の第１の定荷重装置３１のみ作用し、僅かな力で昇降可能となる。このような自転車が空の状態では、通常、図示するように上端位置に上昇させ、ハンドル９を操作してロッド１０を柱２に設けた係止部材または穴と係合させ、バネ１７の力で停止位置に固定する。なお、係止部材または穴は上端位置と下端位置に設けられて上段、下段のそれぞれの停止位置で固定できる。そして、ハンドル操作でバネ１７の力に抗してロッドと係止部材または穴との係合を外すと自転車ラック重量とバランスする牽引力が定荷重装置３１から自転車ラック１に付与されるので、僅かな力を加えるだけで自転車ラックを降ろすことができる。
【００１７】
図３は下端まで降りずに途中で自転車を下ろした状態を示している。
上記したように、自転車を下ろすとブレーキ手段のバネ力（詳細は後述）によりアーム５０が上方へ回動復帰し、ブレーキが作動して可動ボックス４０は柱に対して固定される。そのため、自転車ラック１にはその重量とバランスする牽引力の第１の定荷重装置３１のみ作用するので、自転車ラックが上方へ勢いよく引き上げられることはない。
【００１８】
図４は可動ボックスのブレーキ手段を説明する図で、図４（ａ）は側面図、図４（ｂ）は側断面図、図４（ｃ）は横断面図である。
柱２を包囲して昇降する可動ボックス４０内のブレーキ手段は、柱２の１つの面に対して設けられた４本のバネ４１ａでパッド取り付け部材４２ａを介して付勢されるブレーキパッド４３ａ、柱２の対向する面に対して設けられた４本のバネ４１ｂでパッド取り付け部材４２ｂを介して付勢されるブレーキパッド４３ｂ、アーム５０の回動に連動して回転し、パッド取り付け部材４２ａ、４２ｂと係合してブレーキパッド４３ａ、４３ｂを柱の面に離当接させる回動部材４４とからなっている。なお、可動ボックス４０が柱２に対して昇降するためのレールやローラについては図示を省略している。
【００１９】
アーム５０は可動ボックス４０の両側面に設けられた軸５１を中心に回動し、その先端部に順次回動可能に連結したアーム辺５２、５３を介して回動部材４４の軸５４が回動する。回動部材４４は小判形をしていて曲面状の両端部分がパッド取り付け部材４２ａ、４２ｂと係合し、アーム５０が上方位置のときパッド取り付け部材４２ａ、４２ｂがバネ４１ａ、４１ｂのバネ力で柱面に接近し、パッド取り付け部材４２ａ、４２ｂに取り付けられたブレーキパッド４３ａ、４３ｂが柱面に圧接してブレーキ力を発生する。なお、バネ４１ａ、４１ｂのバネ力で回動部材４４が回動してアーム５０は上方へ回動復帰するが、アーム５０の上方への回動を促すバネ手段を別途設けるようにしてもよい。
【００２０】
自転車を載せて自転車ラック１の踏み板が押し込まれ、アーム５０が下方へ回動すると、回動部材４４はバネ４１ａ、４１ｂのバネ力に抗してパッド取り付け部材４２ａ、４２ｂを柱面から遠ざけ、パッド取り付け部材４２ａ、４２ｂに取り付けられたブレーキパッド４３ａ、４３ｂが柱面から離れるのでブレーキは解除され、可動ボックス４０は第２の定荷重装置３２の牽引力で上昇可能となる。
【００２１】
上記のように可動ボックス４０はどの高さで自転車を下ろしてもブレーキがかかってその位置に停止するので自転車を下ろしたとき自転車ラックが上方へ勢いよく引き上げられることはない。しかし、可動ボックス４０が停止している状態で、いたずら等でアーム５０が故意に下方に押されると、ブレーキが外れて可動ボックス４０が第２の定荷重装置３２の牽引力で急に上昇してしまう可能性がある。そこで、このようなことが起きないようにする安全装置について説明する。
【００２２】
図５は安全装置を説明する図で、図５（ａ）は横断面図、図５（ｂ）は正面図、図５（ｃ）は側断面図である。
可動ボックス４０の正面上部には、クランク形の板状部材６２の面６２ａがネジ６４で可動ボックス４０に固定され、この面６２ａから前方に延びる面６２ｂの先端部からほぼ直角に上方へ延びる面６２ｃにピン６３が固定され、このピンに２つの回動片６０、６１がそれぞれ回動自在に取り付けられ、２つの回動片はクランク形で下端部に内側への突出辺を有していて、両者は対称形をなしている。
【００２３】
図５（ｂ）の正面図において、回動片６０は軸６３に取り付けられる辺６０ａの左端から上方へ延びる辺６０ｂ、辺６０ａの右端から下方へ延びる辺６０ｃ、辺６０ｃの先端から左方へ延びる辺６０ｄからなり、ピン６３に取り付けられる位置が辺６０ａの中心位置から左方にずれていて自重で時計方向へ回転する。一方、回動片６１は軸６３に取り付けられる辺６１ａの右端から上方へ延びる辺６１ｂ、辺６１ａの左端から下方へ延びる辺６１ｃ、辺６１ｃの先端から右方へ延びる辺６１ｄからなり、ピン６３に取り付けられる位置が辺６１ａの中心位置から右方にずれていて自重で反時計方向へ回転する。
【００２４】
この回動片６０、６１はそれぞれ時計方向、反時計方向に回動して下端部の辺６０ｄ、６１ｄがアーム５０の下面側に回り込んでアームを支持し、アーム５０が故意に下方に押されても下方への回動を阻止する阻止部材として機能し、可動ボックスのブレーキが解除されることはない。そして、自転車ラック１が回動片６０、６１の上方へ延びる辺６０ｂ、６１ｂに当接して所定の荷重がかかるとそれぞれ反時計方向、時計方向に回動して辺６０ｄ、６１ｄがアーム５０の下面側から外れてアーム５０の下方への回動が可能となり、可動ボックスのブレーキが解除される。なお、一対の回動片６０、６１を使用しているので、一方の回動片のみアーム５０の下面側から外れても、他方の回動片がアーム５０の下面側を支持していればアームの下方への回動を阻止する。したがって、両方の回動片とも回動しない限りアームの下方への回動を阻止するので、いたずら等でアーム５０が下方へ回動する確率は極めて低くなり高い安全性を確保できる。なお、回動片は自重によらず辺６０ｂ、６１ｂ間をバネで引っ張るようにして下端がアームの下面側に回り込むようにしてもよい。
【産業上の利用可能性】
【００２５】
以上のように本発明によれば、利用者が軽く力を加えるだけでスムーズに昇降させることが可能で使い勝手が格段に向上するとともに、駐輪施設の安全性を一層高めることができるので、産業上の利用価値は極めて大きい。
【図面の簡単な説明】
【００２６】
【図１】本発明の駐輪施設の全体構成を説明する図である。
【図２】自転車ラックが上段位置に固定された状態を示す図である。
【図３】下端まで降りずに途中で自転車を下ろした状態を示す図である。
【図４】可動ボックスのブレーキ手段を説明する図である。
【図５】安全装置を説明する図である。
【図６】従来の２段式駐輪施設の昇降機構を説明する図である。
【符号の説明】
【００２７】
３１…第１の定荷重装置、３２…第２の定荷重装置、４０…可動ボックス、４１ａ，４１ｂ…バネ、４３ａ，４３ｂ…ブレーキパッド、４４…回動部材、５０…アーム、６０，６１…回動片。
【図１】
2008002177.tif 000003
【図２】
2008002177.tif 000004
【図３】
2008002177.tif 000005
【図４】
2008002177.tif 000006
【図５】
2008002177.tif 000007
【図６】
2008002177.tif 000008